【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】
撮像素子からの画像信号のうちの白検出範囲内の画像信号から第１の色温度を算出する第１の色温度算出工程と、
前記撮像素子からの画像信号のうちの有彩色検出範囲内の画像信号から第２の色温度を算出する第２の色温度算出工程と、
前記第１の色温度と前記第２の色温度に基づいてホワイトバランスを調整するホワイトバランス調整工程とを具備することを特徴とするホワイトバランス調整方法。
【請求項２】
前記ホワイトバランス調整工程では、前記第１の色温度と前記第２の色温度とを比較して、前記第１の色温度と前記第２の色温度が略同じか前記第１の色温度の方が前記第２の色温度より高い場合は、前記第１の色温度を光源の色温度と判定し、前記第１の色温度よりも前記第２の色温度が高い場合は、前記第２の色温度を光源の色温度と判定することを特徴とする請求項１に記載のホワイトバランス調整方法。
【請求項３】
前記ホワイトバランス調整工程では、前記第１の色温度と前記第２の色温度とを比較して、前記第１の色温度と前記第２の色温度が略同じか前記第１の色温度の方が前記第２の色温度より高い場合は、前記第１の色温度を光源の色温度と判定し、前記第１の色温度よりも前記第２の色温度が高い場合は、前記画像信号内に占める白色の範囲の比率と有彩色の範囲の比率に基づいて、前記第１の色温度と前記第２の色温度を加重平均して前記光源の色温度を判定することを特徴とする請求項１に記載のホワイトバランス調整方法。
【請求項４】
前記ホワイトバランス調整工程では、前記第１の色温度から第１のホワイトバランス係数を算出し、該第１のホワイトバランス係数で前記画像信号を補正し、補正後の画像信号から第１の彩度値を算出すると共に、前記第２の色温度から第２のホワイトバランス係数を算出し、該第２のホワイトバランス係数で前記画像信号を補正し、補正後の画像信号から第２の彩度値を算出し、前記第１の彩度値と前記第２の彩度値の大きい方に対応するホワイトバランス係数によりホワイトバランスを調整することを特徴とする請求項１に記載のホワイトバランス調整方法。
【請求項５】
前記ホワイトバランス調整工程では、前記第１の色温度から第１のホワイトバランス係数を算出し、該第１のホワイトバランス係数で前記画像信号を補正し、補正後の画像信号から第１の彩度値を算出すると共に、前記第２の色温度から第２のホワイトバランス係数を算出し、該第２のホワイトバランス係数で前記画像信号を補正し、補正後の画像信号から第２の彩度値を算出し、前記第１の彩度値と前記第２の彩度値を加重平均してホワイトバランス係数を決定することを特徴とする請求項１に記載のホワイトバランス調整方法。
【請求項６】
前記ホワイトバランス調整工程では、前記画像信号内に占める白色の範囲の比率を算出し、該白色の範囲の比率が所定値より大きいときには前記第１の色温度を光源の色温度と判定し、前記白色の範囲の比率が所定値より小さいときには前記第１の色温度と前記第２の色温度を加重平均して前記光源の色温度を判定することを特徴とする請求項１に記載のホワイトバランス調整方法。
【請求項７】
前記ホワイトバランス調整工程では、前記画像信号内に占める白色の範囲の比率と有彩色の範囲の比率に基づいて、前記第１の色温度と前記第２の色温度を加重平均して前記光源の色温度を判定することを特徴とする請求項１に記載のホワイトバランス調整方法。
【請求項８】
画像信号内に占める白色の範囲の比率に基づいて、前記第１の色温度と前記第２の色温度を加重平均して前記光源の色温度を判定することを特徴とする請求項１に記載のホワイトバランス調整方法。
【請求項９】
前記ホワイトバランス調整工程では、前記画像信号内に占める白色の範囲の比率と有彩色の範囲の比率に基づいて、前記第１の色温度と前記第２の色温度を加重平均して前記光源の色温度を判定することを特徴とする請求項１に記載のホワイトバランス調整方法。
【請求項１０】
画像信号内に占める白色の範囲の比率に基づいて、前記第１の色温度と前記第２の色温度を加重平均して前記光源の色温度を判定することを特徴とする請求項１に記載のホワイトバランス調整方法。
【請求項１１】
前記有彩色とは肌色であることを特徴とする請求項１に記載のホワイトバランス調整方法。
【請求項１２】
前記ホワイトバランス調整工程では、撮像装置の撮影モードが人物撮影モードに設定されているときには、前記第２の色温度を光源の色温度と判定することを特徴とする請求項１０に記載のホワイトバランス調整方法。
【請求項１３】
前記ホワイトバランス調整工程では、撮像装置の撮影モードが人物撮影モードに設定されているときには、前記第２の色温度の重みを増して前記第１の色温度と加重平均することによって、光源の色温度を判定することを特徴とする請求項１０に記載のホワイトバランス調整方法。
【請求項１４】
前記第１，第２の彩度値を算出する場合、それぞれホワイトバランス補正された画像信号のうち、画面の中央部の画像信号に基づいて前記第１，第２の色温度を算出することを特徴とする請求項４に記載のホワイトバランス調整方法。
【請求項１５】
請求項１乃至１４のいずれか１項に記載のホワイトバランス調整方法をコンピュータに実行させることを特徴とするプログラム。
【請求項１６】
請求項１５に記載のプログラムをコンピュータ読み取り可能に記憶したことを特徴とする記憶媒体。
【請求項１７】
請求項１乃至１４のいずれか１項に記載のホワイトバランス調整方法を実行することを特徴とする撮像装置。
【請求項１８】
撮像素子からの画像信号のうちの白検出範囲内の画像信号から第１の色温度を算出する第１の色温度算出手段と、
前記撮像素子からの画像信号のうちの有彩色検出範囲内の画像信号から第２の色温度を算出する第２の色温度算出手段と、
前記第１の色温度と前記第２の色温度に基づいてホワイトバランスを調整するホワイトバランス調整手段とを具備することを特徴とする撮像装置。
【請求項１９】
前記ホワイトバランス調整手段は、前記第１の色温度と前記第２の色温度とを比較して、前記第１の色温度と前記第２の色温度が略同じか前記第１の色温度の方が前記第２の色温度より高い場合は、前記第１の色温度を光源の色温度と判定し、前記第１の色温度よりも前記第２の色温度が高い場合は、前記第２の色温度を光源の色温度と判定することを特徴とする請求項１８に記載の撮像装置。
【請求項２０】
前記ホワイトバランス調整手段は、前記第１の色温度と前記第２の色温度とを比較して、前記第１の色温度と前記第２の色温度が略同じか前記第１の色温度の方が前記第２の色温度より高い場合は、前記第１の色温度を光源の色温度と判定し、前記第１の色温度よりも前記第２の色温度が高い場合は、前記画像信号内に占める白色の範囲の比率と有彩色の範囲の比率に基づいて、前記第１の色温度と前記第２の色温度を加重平均して前記光源の色温度を判定することを特徴とする請求項１８に記載の撮像装置。
【請求項２１】
前記ホワイトバランス調整手段は、前記第１の色温度から第１のホワイトバランス係数を算出し、該第１のホワイトバランス係数で前記画像信号を補正し、補正後の画像信号から第１の彩度値を算出すると共に、前記第２の色温度から第２のホワイトバランス係数を算出し、該第２のホワイトバランス係数で前記画像信号を補正し、補正後の画像信号から第２の彩度値を算出し、前記第１の彩度値と前記第２の彩度値の大きい方に対応するホワイトバランス係数によりホワイトバランスを調整することを特徴とする請求項１８に記載の撮像装置。
【請求項２２】
前記ホワイトバランス調整手段は、前記第１の色温度から第１のホワイトバランス係数を算出し、該第１のホワイトバランス係数で前記画像信号を補正し、補正後の画像信号から第１の彩度値を算出すると共に、前記第２の色温度から第２のホワイトバランス係数を算出し、該第２のホワイトバランス係数で前記画像信号を補正し、補正後の画像信号から第２の彩度値を算出し、前記第１の彩度値と前記第２の彩度値を加重平均してホワイトバランス係数を決定することを特徴とする請求項１８に記載の撮像装置。
【請求項２３】
前記ホワイトバランス調整手段は、前記画像信号内に占める白色の範囲の比率を算出し、該白色の範囲の比率が所定値より大きいときには前記第１の色温度を光源の色温度と判定し、前記白色の範囲の比率が所定値より小さいときには前記第１の色温度と前記第２の色温度を加重平均して前記光源の色温度を判定することを特徴とする請求項１８に記載の撮像装置。
【請求項２４】
前記ホワイトバランス調整手段は、前記画像信号内に占める白色の範囲の比率と有彩色の範囲の比率に基づいて、前記第１の色温度と前記第２の色温度を加重平均して前記光源の色温度を判定することを特徴とする請求項１８に記載の撮像装置。
【請求項２５】
画像信号内に占める白色の範囲の比率に基づいて、前記第１の色温度と前記第２の色温度を加重平均して前記光源の色温度を判定することを特徴とする請求項１８に記載の撮像装置。
【請求項２６】
前記ホワイトバランス調整手段は、前記画像信号内に占める白色の範囲の比率と有彩色の範囲の比率に基づいて、前記第１の色温度と前記第２の色温度を加重平均して前記光源の色温度を判定することを特徴とする請求項１８に記載の撮像装置。
【請求項２７】
画像信号内に占める白色の範囲の比率に基づいて、前記第１の色温度と前記第２の色温度を加重平均して前記光源の色温度を判定することを特徴とする請求項１８に記載の撮像装置。
【請求項２８】
前記有彩色とは肌色であることを特徴とする請求項１８に記載の撮像装置。
【請求項２９】
前記ホワイトバランス調整手段は、撮像装置の撮影モードが人物撮影モードに設定されているときには、前記第２の色温度を光源の色温度と判定することを特徴とする請求項２７に記載の撮像装置。
【請求項３０】
前記ホワイトバランス調整手段は、撮像装置の撮影モードが人物撮影モードに設定されているときには、前記第２の色温度の重みを増して前記第１の色温度と加重平均することによって、光源の色温度を判定することを特徴とする請求項２７に記載の撮像装置。
【請求項３１】
前記第１，第２の彩度値を算出する場合、それぞれホワイトバランス補正された画像信号のうち、画面の中央部の画像信号に基づいて前記第１，第２の色温度を算出することを特徴とする請求項２１に記載の撮像装置。